(57)【要約】【課題】開閉動作を繰り返し行っても劣化せず、簡単な構造を有し、かつ、低コストで製造可能なリモートコントローラ蓋を備えるリモートコントローラ装置を提供する。【解決手段】リモートコントローラ本体１１の前面１５に第一操作子群３１及び第二操作子群３２を備える操作子群３０を配置し、第二操作子群３２を覆い隠すリモートコントローラ蓋６０を前面１５に開閉自在に備えたリモートコントローラ装置１０において、リモートコントローラ蓋６０に磁性体のビス７１をねじ込み、リモートコントローラ本体１１にビス７１に対向した磁石７６を配置し、これらビス７１および磁石７６は、それぞれ型番シール６８及び銘板５０で覆って保持した。【選択図】図４
2008271509.tif 000002
【特許請求の範囲】
【請求項１】
リモートコントローラ本体の前面に複数の操作子を配置し、いずれかの操作子又はすべての操作子を覆い隠すリモートコントローラ蓋を該前面に開閉自在に備えたリモートコントローラ装置において、
前記リモートコントローラ本体またはリモートコントローラ蓋のいずれか一方に第１の永久磁石を配置し、他方に前記第１の永久磁石に対向した位置に磁性体のビスをねじ込み、
これら永久磁石およびビスは、それぞれ銘板シートで覆って保持した、ことを特徴とするリモートコントローラ装置。
【請求項２】
前記永久磁石をリモートコントローラ本体の前面に埋め込み、該永久磁石を複数の操作子の貫通孔を有した銘板シートで覆って保持した、ことを特徴とする請求項１に記載のリモートコントローラ装置。
【請求項３】
前記ビスをリモートコントローラ蓋にねじ込み、該ビスを銘板シートで覆って保持した、ことを特徴とする請求項１または２に記載のリモートコントローラ装置。
【請求項４】
前記ビスの中心点は、前記永久磁石に対向する位置で、該永久磁石の中心点から所定距離ずらした位置に配置されている、ことを特徴とする請求項１乃至３のいずれかに記載のリモートコントローラ装置。
【請求項５】
前記ビスの頭部に第２の永久磁石を吸着した状態で、これらビス及び第２の永久磁石を前記銘板シートで覆って保持した、ことを特徴とする請求項１に記載のリモートコントローラ装置。
【発明の詳細な説明】
【技術分野】
【０００１】
本発明は、リモートコントローラ蓋を備えるリモートコントローラ装置に関する。
【背景技術】
【０００２】
従来、被調和室の壁に取り付けられ、ケーブルを介して室内機と接続され、空気調和装置の作動を指示するリモートコントローラ装置において、リモートコントローラ本体の前面に開閉自在にリモートコントローラ蓋を設け、このリモートコントローラ蓋を閉状態にすることにより、電源スイッチや温度変更スイッチ等頻繁に使用するスイッチ以外のスイッチを覆い隠したリモートコントローラ装置が知られている（例えば、特許文献１参照）。
この種のリモートコントローラ装置では、リモートコントローラ蓋の一端をリモートコントローラ本体に回動自在に取り付け、リモートコントローラ蓋の他端に弾性変形可能な係止爪を設けると共にリモートコントローラ本体に係止片や突起等を設け、リモートコントローラ蓋を閉状態とするときは、リモートコントローラ蓋の係止爪とリモートコントローラ本体の係止片等を係合させることによってリモートコントローラ蓋をリモートコントローラ本体に弾発的に取り付け、逆にリモートコントローラ蓋を開状態とするときは、リモートコントローラ蓋の係止爪とリモートコントローラ本体の係止片等との係合を解除することによってリモートコントローラ蓋を開状態にするよう構成されているのが一般的である。
【特許文献１】特開２００２−３７２２５７号公報
【発明の開示】
【発明が解決しようとする課題】
【０００３】
しかしながら、従来のリモートコントローラ装置は、リモートコントローラ蓋の開閉を長年続けると、係止片の弾性力が衰弱し、係止片による係合が弱まり、リモートコントローラ蓋の閉状態を維持できない状態になることがあった。また、リモートコントローラ蓋の開閉動作の過程で、係止片が破損し、リモートコントローラ蓋の開閉ができなくなってしまうこともあった。
この問題を解決するために、リモートコントローラ本体に磁石を取り付け、リモートコントローラ蓋に磁性体としての金属板を取り付け、この磁石と金属板とを脱着させることによりリモートコントローラ蓋の開閉を行うようにした場合、この金属板を、リモートコントローラ蓋に取り付け可能に加工する必要があると共に、リモートコントローラ蓋に金属板を取り付けるためのスペースと金属板を取り付けるための機構とを設ける必要があり、リモートコントローラ装置の構造が複雑になり、かつ、金属板及びリモートコントローラ蓋の加工における製造工程数が増加し、この工程数増加に伴い製造コストが増大してしまう、という問題があった。
【０００４】
本発明は、上述した事情に鑑みてなされたものであり、開閉動作を繰り返し行っても劣化せず、簡単な構造を有し、かつ、低コストで製造可能なリモートコントローラ装置を提供することを目的とする。
【課題を解決するための手段】
【０００５】
上記目的を達成するために、本発明は、リモートコントローラ本体の前面に複数の操作子を配置し、いずれかの操作子又はすべての操作子を覆い隠すリモートコントローラ蓋を該前面に開閉自在に備えたリモートコントローラ装置において、前記リモートコントローラ本体またはリモートコントローラ蓋のいずれか一方に第１の永久磁石を配置し、他方に前記第１の永久磁石に対向した位置に磁性体のビスをねじ込み、これら永久磁石およびビスは、それぞれ銘板シートで覆って保持した、ことを特徴とする。
この構成によれば、リモートコントローラ蓋に、開閉のための係止片を設ける必要がないため、リモートコントローラ蓋の開閉を長年続けても、係止片の弾性力が衰弱したり、係止片が破損したりすることによりリモートコントローラ蓋の開閉ができなくなる、という事態が生じ得ない。また、リモートコントローラ蓋又はリモートコントローラ本体に磁性体として金属板ではなく、ビスを設けており、このビスは、一般に広く及しているビスを利用することができ、かつ、リモートコントローラ蓋やリモートコントローラ本体に螺合させることにより簡単に取り付けることができるため、従来と比較し、リモートコントローラ蓋は、その構造が単純になると共に、低コストで製造可能である。
【０００６】
また、上記発明のリモートコントローラ装置において、前記永久磁石をリモートコントローラ本体の前面に埋め込み、該永久磁石を複数の操作子の貫通孔を有した銘板シートで覆って保持するようにしてもよい。
この構成によれば、既存の銘板シートによって、埋め込んだ磁石を保持するため、銘板シートを有効活用することができる。
【０００７】
また、上記発明のリモートコントローラ装置において、前記ビスをリモートコントローラ蓋にねじ込み、該ビスを銘板シートで覆って保持するようにしてもよい。
この構成によれば、ビスの頭部が外に露出しないため、外観性が向上すると共に、銘板シートを有効活用することができる。
【０００８】
また、上記発明のリモートコントローラ装置において、前記ビスの中心点は、前記永久磁石に対向する位置で、該永久磁石の中心点から所定距離ずらした位置に配置されてもよい。
この構成によれば、永久磁石及びビスを強い吸着力で結合することができる。
【０００９】
また、上記発明のリモートコントローラ装置において、前記ビスの頭部に第２の永久磁石を吸着した状態で、これらビス及び第２の永久磁石を前記銘板シートで覆って保持するようにしてもよい。
この構成によれば、リモートコントローラ蓋を閉状態とした場合、第１の永久磁石と第２の永久磁石との吸着力によって、閉状態が強固に維持されることになり、リモートコントローラ装置に対して何らかの震動が発生した場合にリモートコントローラ蓋６０が簡単に開状態となってしまう、といった事態が発生することを防止することができる。
【発明の効果】
【００１０】
本発明によれば、リモートコントローラ装置のリモートコントローラ本体またはリモートコントローラ蓋のいずれか一方に永久磁石を配置し、他方に永久磁石に対向した磁性体のビスをねじ込み、これら永久磁石およびビスの着脱によってリモートコントローラ蓋を開閉する構成としたため、リモートコントローラ蓋に開閉のための係止片を設ける必要がなく、リモートコントローラ蓋の開閉を長年続けても、係止片の弾性力が衰弱したり、係止片が破損したりすることによりリモートコントローラ蓋の開閉ができなくなる、という事態が生じ得ない。また、磁性体として金属板ではなく、ビスを設けており、このビスは、一般に広く及しているビスを利用することができ、かつ、螺合させることにより簡単にリモートコントローラ蓋やリモートコントローラ本体に取り付けることができるため、従来と比較し、リモコン装置本体は、その構造が単純になると共に、低コストで製造可能である。
【発明を実施するための最良の形態】
【００１１】
以下、図面を参照して本発明の実施の形態について説明する。
＜第１実施形態＞
図１は、本実施形態に係る空気調和システム１の構成を概略的に示す図である。この空気調和システム１は、空気調和装置２を有し、この空気調和装置２は、オフィス等の被調和室３の天井に埋め込まれて設置される室内機４と、室外に設置される室外機（不図示）と、これら室内機４及び室外機を接続する冷媒配管５と、を有している。
室内機４には、ケーブル６を介して、被調和室３の壁７に固着されたリモートコントローラ装置１０が接続されている。
【００１２】
図２及び図３は、リモートコントローラ装置１０を正面から見た図であり、図４は、リモートコントローラ装置１０の分解斜視図である。
リモートコントローラ装置１０は、図２及び図３に示すように、裏面が壁７に固着されたリモートコントローラ本体１１を有しており、このリモートコントローラ本体１１は、図２〜図４に示すように、正面視上部に設けられた上枠１２と、正面視右部に設けられ、上端が上記上枠１２の右端と接続された右枠１３と、正面視左部に設けられ、上端が上記上枠１２の左端と接続された左枠１４と、を有し、図４（Ａ）に示すように、これら上枠１２、右枠１３及び左枠１４で囲まれ、かつ、これらの枠より一段下がった箇所に前面１５が形成されている。
【００１３】
この前面１５の上部には、図２〜図３に示すように、各種表示を行うための表示部１６が設けられている。この表示部１６の正面視左上には、設定温度がセグメント表示される設定温度表示部１７が形成され、この設定温度表示部１７の右には、室内機４から送風される風の風速、風向等がセグメント表示される風関連情報表示部１８が形成され、この風関連情報表示部１８の右には、冷房や暖房、除湿等の現在の運転モードがセグメント表示される運転モード表示部１９が形成されており、表示部１６の下部には、省エネモード等の作動モードやフィルター掃除を促す旨の表示等がセグメント表示される付随情報表示部２０が形成されている。
この表示部１６の下方には、複数のスイッチを有する操作子群３０が設けられている。
【００１４】
この操作子群３０は、図３及び図４に示すように、頻繁に使用する操作子を備える第一操作子群３１と、この第一操作子群３１の下方に設けられ、普段使用しない操作子を備える第二操作子群３２とを有している。
第一操作子群３１の右部には、空気調和装置２の運転の開始／停止を指示するための運転／停止スイッチ３３が設けられ、第一操作子群３１の左部には、設定温度を変更するための２つの温度設定スイッチ３４が設けられている。
一方、上記第二操作子群３２の左上には、空気調和装置２のタイマー運転の指示をするためのタイマー運転スイッチ３５が設けられ、このタイマー運転スイッチ３５の右には、タイマー運転を指示する際に、タイマー運転に係る時間を選択するための２つの時間選択スイッチ３６が設けられ、この時間選択スイッチ３６の右上には、時間選択スイッチを操作することにより時間を選択した際に、この選択した時間を設定するためのセットスイッチ３７が設けられ、このセットスイッチ３７の下には、タイマー運転を取り消すための取消スイッチ３８が設けられている。
さらに、セットスイッチ３７の右には、室内機４から送風される風の風速を切り換える風速切換スイッチ３９が設けられ、この風速切換スイッチ３９の下には、室内機４から出力される風の風向を調整し、また、風向が順次切り替わるスイングモードを選択するためのスイング／風向スイッチ４０が設けられ、このスイング／風向スイッチ４０の右には、消費電力を抑えた運転モードである省エネモードを選択するための省エネスイッチ４１が設けられ、この省エネスイッチ４１の上には、冷房や暖房、除湿等の運転モードを切り換えるための運転切換スイッチ４２が設けられている。
【００１５】
このリモートコントローラ本体１１の前面１５には、上述した各種スイッチの機能を説明するための銘板５０（銘板シート）が貼り付けられている。
この銘板５０は、薄い樹脂製の板であり、図４（Ａ）に示すように、上記表示部１６及び上述した各種スイッチと対応する箇所に複数の貫通孔５１が形成されており、図２及び図３に示すように、銘板５０がリモートコントローラ本体１１の前面１５に貼り付けられると、表示部１６が隠れることなく、各種スイッチが上記貫通孔５１を通って前方へ延出する。これら貫通孔５１の上方には、それぞれの貫通孔５１を通る各種スイッチの機能が簡潔に記されており、例えば、運転／停止スイッチ３３が通る貫通孔５１の上方には「運転／停止」と記され、温度設定スイッチが通る貫通孔５１の上方には「温度設定」と記されている。
【００１６】
この銘板５０が貼り付けられたリモートコントローラ本体１１の前面１５には、第二操作子群３２を開閉自在に覆うリモートコントローラ蓋６０が取り付けられている。
このリモートコントローラ蓋６０は、図２に示すように、リモートコントローラ蓋６０が閉じられた状態（以下、単に「閉状態」という。）においては、第二操作子群３２を前方から覆い隠し、この第二操作子群を外側に露出させず、また、図３に示すように、リモートコントローラ蓋６０が開かれた状態（以下、単に「開状態」という。）においては、第二操作子群３２を露出させ、この第二操作子群３２のスイッチを含む全てのスイッチが外側に露出する構成となっている。
【００１７】
このリモートコントローラ蓋６０は、図４（Ａ）に示すように、下端６１の左右に形成された凹部６２ａ，６２ｂに、リモートコントローラ本体１１の左枠１４の下部内側に形成された凸部６３ａ及び右枠１３の下部内側に形成された凸部６３ｂが嵌合されることによってリモートコントローラ本体１１に取り付けられており、下端６１を回転軸として、リモートコントローラ本体に回動自在に支持されている。
図２及び図４（Ａ）に示すように、リモートコントローラ蓋６０の面のうち、閉状態において外側に露出する面である外面６４には、外側に向かって突出した取っ手６５が形成されており、閉状態のリモートコントローラ蓋６０を開状態とする際は、この取っ手６５を掴んで、リモートコントローラ蓋６０を回動させる。
また、図３に示すように、開状態において外側に露出する面である内面６６において、図３における上部には、注意書きシール６７が貼り付けられており、この注意書きシール６７には、リモートコントローラ装置１０の簡単な操作手順や、使用にあたって注意すべきこと等が記されている。また、内面６６において、図３における右下部には、当該リモートコントローラ装置１０の型番が記された型番シール６８（銘板シート）が貼り付けられている。なお、この型番シール６８は、型番のみならず、例えば、リモートコントローラ装置１０の機種名が記された機種名ラベルであってもよい。
【００１８】
次いで、本実施形態に係るリモートコントローラ装置１０のリモートコントローラ蓋６０の開閉構造について説明する。図５は、リモートコントローラ蓋６０の内面６６を示す図であり、図６は、図５におけるＶＩ−ＶＩ断面図である。
【００１９】
リモートコントローラ蓋６０には、図５に示すように、上述した型番シール６８が張り付けられる箇所の右部に孔７０が形成され、この孔７０に、ビス７１が取り付けられている。孔７０の基端部には、図６に示すように、ビス７１の頭部７２と略同一の形状を有する空洞が形成された頭部収納部７３が形成されており、孔７０にビス７１が螺合されると、ビス７１の頭部７２は、図６に示すように、この頭部収納部７３に収納される。
ここで、ビス７１は、リモートコントローラ装置１０のために特別に加工したものでなく、一般に広く普及しているビスを利用することができる。このため、リモートコントローラ装置を製造する際、ビス７１を加工する工程が必要なく、コストの削減、製造工程の簡略化を図ることができる。さらに、ビス７１は、接着剤を用いたり、特別な機構を備えさせたりすること無く、螺合によってリモートコントローラ蓋６０に簡単に取り付けることができる。このため、リモートコントローラ蓋の構造が単純になる。
孔７０にビス７１が螺合された後、図５及び図６に示すように、型番シール６８がビス７１の頭部７２を覆って貼り付けられる。本実施形態では、このように、型番シール６８がビス７１を覆って貼り付けられるため、ビス７１が外側へ露出せず外観性の向上が図られている。また、型番シール６８は、ビス７１を支持し、ビス７１が抜けるのを防止する役割も果たす。また、型番シール６８によって、一般的な利用者がビス７１にアクセスするのが防止される。このため、一般的な利用者が誤ってビスを外してしまう、といったことが防止される。
【００２０】
一方、図４（Ａ）に示すように、リモートコントローラ本体１１において、運転／停止スイッチ３３の右部と運転切換スイッチ４２の右部との間であって、かつ、閉状態においてリモートコントローラ蓋６０に螺合されたビス７１の頭部７２が対向する位置には、前方に円状の開口７４を有し、内部に円筒状の空洞が形成された凹部７５が形成されている。この凹部７５には、図４（Ａ）に示すように、凹部７５の空洞と略同一の形状の磁石７６（第１の永久磁石）が配置されており、この磁石７６が配置された後に、銘板５０がリモートコントローラ本体１１の前面１５に貼り付けられており、この銘板５０によって凹部７５の開口７４が塞がれている。
本実施形態では、このように、銘板５０によって凹部７５の開口７４が塞がれるため、凹部７５や磁石７６が外側へ露出せず外観性の向上が図られている。また、銘板５０は、磁石７６を支持し、磁石７６が開口７４から落下するのを防止する役割も果たす。また、銘板５０によって、一般的な利用者が磁石７６にアクセスするのが防止される。このため、一般的な利用者が誤って磁石７６を外してしまう、といったことが防止される。
【００２１】
ここで、開口７４に配置される磁石７６は、ビス７１の頭部７２の径と略同一の大きさの径を有しており、図４（Ｂ）に示すように、閉状態時、磁石７６の中心点とビス７１の頭部７２の中心点とは、正面視において所定の距離δだけ離れた状態となる。これは、閉状態において、磁石７６の中心点と頭部７２の中心点が同軸上にある場合と比較し、前記磁石７６の中心点と前記ビス７１の頭部７２の中心点とが距離σだけ離れていたほうが、磁石７６とビス７１との間に働く吸着力が強くなるためである。
【００２２】
以上のように構成された本実施形態に係るリモートコントローラ蓋６０の開閉は、以下のようにして行われる。
すなわち、リモートコントローラ蓋６０を開状態（図３）から閉状態（図２）にする場合、取っ手６５を掴み、下端６１を回転軸として、上方向かってリモートコントローラ蓋６０を回動させる。すると、リモートコントローラ蓋６０の内面６６とリモートコントローラ本体１１の前面１５とが近接し、リモートコントローラ本体１１に設けた磁石７６と、リモートコントローラ蓋６０に設けたビス７１とが近接し、磁石７６とビス７１との間に吸着力が働く。このときの吸着力によってリモートコントローラ蓋６０の上端６９がリモートコントローラ本体１１の前面１５に当接し、リモートコントローラ蓋６０は、閉状態となる（図２参照）。閉状態となったリモートコントローラ蓋６０は、外力が働かない限り、吸着力によってこの閉状態が維持される。
一方、リモートコントローラ蓋６０を閉状態（図２）から開状態（図３）にする場合、取っ手６５を掴み、磁石７６とビス７１との間に働く吸着力より大きな力で、下方向へ向かってリモートコントローラ蓋６０を回動させる。すると、所定の角度回動した時点で、上記吸着力が働かなくなり、リモートコントローラ蓋６０は、図３に示す開状態となる。
【００２３】
以上説明したように、本実施の形態によれば、リモートコントローラ蓋６０に、開閉のための係止片を設ける必要がないため、リモートコントローラ蓋６０の開閉を長年続けても、係止片の弾性力が衰弱したり、係止片が破損したりすることによりリモートコントローラ蓋６０の開閉ができなくなる、という事態が生じ得ない。
また、従来、リモートコントローラ蓋６０に、磁性体として金属板を設けた場合、この金属板をリモートコントローラ蓋６０に取り付け可能に加工したり、また、リモートコントローラ蓋６０に金属板を取り付けるための専用のスペース及び機構を設けたりする必要があった。しかし、本実施の形態では、リモートコントローラ蓋６０に磁性体として金属板ではなく、ビス７１を設けており、このビス７１は、一般に広く普及しているビスを利用することができ、かつ、リモートコントローラ蓋６０に螺合させることにより簡単に取り付けることができるため、従来と比較し、リモートコントローラ蓋６０は、その構造が単純になると共に、低コストで製造可能である。
また、本実施の形態によれば、凹部７５に磁石７６を配置した後、凹部７５の開口７４を銘板５０で覆っているため、銘板５０を有効活用することができる。
また、本実施の形態によれば、ビス７１の頭部７２を覆い隠すように、型番シール６８を貼り付けており、ビス７１の頭部７２が露出せずに外観性が増すと共に、この型番シール６８を有効活用することができる。
また、本実施の形態によれば、閉状態において、ビス７１と磁石７６との中心がずれて対向する構成となっているため、ビス７１と磁石７６とは、強い吸着力によって結合される。
【００２４】
図７は、リモートコントローラ装置１０の側面図であり、リモートコントローラ装置１０を正面右側から見た図である。
上述した実施形態では、磁石７６をリモートコントローラ本体１１に取り付け、ビス７１をリモートコントローラ蓋６０に取り付けている。しかし、これとは逆に、磁石７６をリモートコントローラ蓋６０に取り付け、ビス７１をリモートコントローラ本体１１に取り付けてもよい。具体的には、図７に示すように、リモートコントローラ蓋６０に凹部８０を形成し、この凹部８０に磁石７６を配置し、凹部８０を型番シール６８で覆う。同時に、リモートコントローラ本体１１において、閉状態で磁石７６と対向する位置にビス７１を螺合し、このビスを銘板５０で覆う。この構成であっても、上述した実施形態と同様の効果を得ることができる。
【００２５】
＜第２実施形態＞
本実施形態では、第１実施形態と同様リモートコントローラ本体１１に設けた磁石７６とリモートコントローラ蓋６０に設けたビスを利用してリモートコントローラ蓋６０を開閉自在に構成しているが、さらに、以下の構成を備えることによって、リモートコントローラ蓋６０の閉状態を強固に維持できるようになっている。
なお、本実施形態の説明において、第１実施形態に係る構成要素と同じものについては同一の符号を付し、その説明を省略する。
【００２６】
図８は、リモートコントローラ蓋６０の内面６６を示す図であり、図９は、図８においてビス７１、磁石８２（第２の永久磁石）及び型番シール６８（銘板シート）を取り付けた状態のＩＸ−ＩＸ断面図である。
図８に示すように、リモートコントローラ蓋６０の内面６６の図８における正面右下には、ビス７１を取り付けるための孔７０が形成されている。この孔７０は、図９に示すように、取っ手６５の内部に至るまで切り抜かれた状態で形成されている。このため、ビス７１を孔７０に螺合する際、深く螺合することができ、ビス７１をリモートコントローラ蓋６０に強固に取り付けることができる。
【００２７】
孔７０にビス７１を螺合すると、図９に示すように、ビス７１の頭部７２の前方（図９において左へ向かう方向）に磁石収納部８３が形成される。そして、この磁石収納部８３には、ビス７１に吸着した状態で、磁石８２が収納される。このように、磁石８２は、自身の吸着力によってビス７１に吸着し、この吸着により磁石収納部８３の内部において固定されるため、例えば、接着材を利用して固定したり、特別な機構によって固定したりする場合と比較し、組立作業の迅速化やコストの削減を図ることができる。
【００２８】
図８に示すように、リモートコントローラ蓋６０の内面６６の図８における正面右下には、孔７０を囲んだ状態で、前方へ向かって突出した型番シール枠８４が形成されている。そして、この型番シール枠８４には、図８及び図９に示すように、ビス７１及び磁石８２を覆った状態で、型番シール６８が嵌め込まれて取り付けられる。詳細には、図９に示すように、型番シール枠８４の内周に型番シール６８の外周が接触した状態で、かつ、内面６６において型番シール枠８４と型番シール６８との間に段差が生じない状態で型番シール枠８４に型番シール６８が取り付けられる。その際、型番シール６８の裏面が磁石８２と接触し、この磁石８２を支持した状態で、型番シール枠８４に型番シール６８が取り付けられる。
このように本実施形態では、型番シール枠８４の内周と型番シール６８の外周が接触すると共に、型番シール枠８４と型番シール６８との間に段差が生じないため、見た目に滑らかになり、外観性の向上が図られている。また、型番シール６８に磁石８２が覆われるため、この磁石８２が露出せず、外観性の向上が図られている。また、磁石８２が型番シール６８によって支持されるため、磁石収納部８３において磁石８２を固定する力が増強され、強度の向上が図られている。同時に、磁石８２は、ビス７１に吸着しているため、磁石８２から型番シール６８に対してかかる負荷が軽減されており、型番シール６８の剥がれ等が抑制されている。
【００２９】
本実施形態では、以上のようにリモートコントローラ蓋６０を構成すると共に、リモートコントローラ本体１１を第１実施形態と同様に構成する。すなわち、リモートコントローラ本体１１において、閉状態時にリモートコントローラ蓋６０に設けた磁石８２が対向する位置に凹部７５を形成し、この凹部７５に磁石７６を配置し、この磁石７６を銘板５０で覆う。ここで、第１実施形態では、ビス７１と磁石７６との吸着力を向上するため、閉状態においてビス７１の中心点と磁石７６の中心点とが距離δだけ離れる構成となっていたが（図４（Ｂ）参照）、本実施形態では、閉状態において磁石７６の中心点と磁石８２の中心点とが同軸上になるように構成し、磁石７６と磁石８２との間に働く吸着力の向上を図っている。
【００３０】
以上のように構成された本実施形態に係るリモートコントローラ蓋６０の開閉は、以下のようにして行われる。
すなわち、リモートコントローラ蓋６０を開状態（図３）から閉状態（図２）にする場合、取っ手６５を掴み、下端６１を回転軸として、上方向かってリモートコントローラ蓋６０を回動させる。すると、リモートコントローラ蓋６０の内面６６とリモートコントローラ本体１１の前面１５とが近接し、リモートコントローラ本体１１に設けた磁石７６と、リモートコントローラ蓋６０に設けた磁石８２とが近接し、磁石７６と磁石８２との間に吸着力が働く。このときの吸着力によってリモートコントローラ蓋６０の上端６９がリモートコントローラ本体１１の前面１５に当接し、リモートコントローラ蓋６０は、閉状態となる（図２参照）。閉状態となったリモートコントローラ蓋６０は、外力が働かない限り、吸着力によってこの閉状態が維持される。
一方、リモートコントローラ蓋６０を閉状態（図２）から開状態（図３）にする場合、取っ手６５を掴み、磁石７６と磁石８２との間に働く吸着力より大きな力で、下方向へ向かってリモートコントローラ蓋６０を回動させる。すると、所定の角度回動した時点で、上記吸着力が働かなくなり、リモートコントローラ蓋６０は、図３に示す開状態となる。
【００３１】
このように、本実施形態では、ビス７１の頭部７２に磁石８２を吸着して、これらビス７１及び磁石８２を型番シール６８で覆って保持している。そして、この磁石８２とリモートコントローラ本体１１に設けた磁石７６との間に働く吸着力を利用して、リモートコントローラ蓋６０を閉状態にする。このため、第１実施形態のようにビス７１と磁石７６との間に働く吸着力を利用してリモートコントローラ蓋６０を閉状態にする場合と比較し、より強い力で強固に閉状態を維持することができる。従って、例えば、リモートコントローラ装置１０に対し何らかの震動が発生した場合にリモートコントローラ蓋６０が簡単に開状態となってしまう、といった事態が発生することを防止することができる。
【００３２】
図１０は、リモートコントローラ装置１０の側面図であり、リモートコントローラ装置１０を正面右側から見た図である。
第２実施形態では、ビス７１をリモートコントローラ蓋６０に取り付け、このビス７１の頭部７２に磁石８２を吸着している。同時に、磁石７６をリモートコントローラ本体１１に取り付けている。しかし、これとは逆に、磁石７６をリモートコントローラ蓋６０に取り付け、ビス７１をリモートコントローラ本体１１に取り付け、このビス７１に磁石８２を吸着するようにしてもよい。具体的には、図１０に示すように、リモートコントローラ蓋６０に凹部８６を形成し、この凹部８６に磁石７６を配置し、凹部８６を型番シール６８で覆う。同時に、リモートコントローラ本体１１において、閉状態で磁石７６と対向する位置にビス７１を螺合し、このビス７１に磁石８２を吸着し、この磁石８２を銘板５０で覆う。この構成であっても、第２実施形態と同様の効果を得ることができる。
【００３３】
なお、上述した実施の形態は、あくまでも本発明の一態様を示すものであり、本発明の範囲内で任意に変形および応用が可能である。
例えば、第１実施形態では、凹部７５に配置される磁石７６をリモートコントローラ本体１１の右部に設け、閉状態においてこの磁石７６と対向する箇所にビス７１を設けているが、磁石７６及びビス７１に設置箇所はここに限らず、閉状態において、磁石７６とビス７１が対向し、かつ、磁石７６の吸着力によって閉状態が維持できる箇所であればよい。同様のことは、第２実施形態についても言うことができる。
【図面の簡単な説明】
【００３４】
【図１】第１実施形態に係る空気調和システムの構成を示す図である。
【図２】リモートコントローラ蓋が閉じられた状態のリモートコントローラ装置の正面図である。
【図３】リモートコントローラ蓋が開かれた状態のリモートコントローラ装置の正面図である。
【図４】（Ａ）は、リモートコントローラ装置の分解斜視図であり、（Ｂ）は、ビスが取り付けられる位置を説明するための図である。
【図５】リモートコントローラ蓋の内側を示す図である。
【図６】図５におけるＶＩ−ＶＩ断面図である。
【図７】リモートコントローラ装置の側面図であり、第１実施形態の変形例を示す。
【図８】第２実施形態に係るリモートコントローラ蓋の内側を示す図である。
【図９】図８におけるＩＸ−ＩＸ断面図である。
【図１０】リモートコントローラ装置の側面図であり、第２実施形態の変形例を示す。
【符号の説明】
【００３５】
１０  リモートコントローラ装置
１１  リモートコントローラ本体
１５  前面
３０  操作子群
３１  第一操作子群
３２  第二操作子群
５０  銘板（銘板シート）
５１  貫通孔
６０  リモートコントローラ蓋
６８  型番シール（銘板シート）
７１  ビス
７６  磁石（第１の永久磁石）
８２  磁石（第２の永久磁石）
【図１】
2008271509.tif 000003
【図２】
2008271509.tif 000004
【図３】
2008271509.tif 000005
【図４】
2008271509.tif 000006
【図５】
2008271509.tif 000007
【図６】
2008271509.tif 000008
【図７】
2008271509.tif 000009
【図８】
2008271509.tif 000010
【図９】
2008271509.tif 000011
【図１０】
2008271509.tif 000012